Podtech/llm-jp-corpus-v4-ja_patent huggingface dataset:
(57)【要約】【課題】燃料噴射期間中に吸気バルブの傘部に当る吸気流を制御することにより、吸気バルブの温度分布を制御し、ＰＭ発生原因となる燃料付着を低減する。【解決手段】筒内に燃料を噴射する燃料噴射弁を備える筒内直接噴射式内燃機関において、吸気ポート内に、吸気流路を上下に分割する隔壁と、隔壁下側の吸気流れを開閉制御する切替弁と、を備え、内燃機関の冷間運転時において、燃料噴射弁から燃料を噴射する場合には、切替弁を閉じ、隔壁上側から筒内に吸気を導入する。【選択図】図１
2010031764.tif 000002
【特許請求の範囲】
【請求項１】
筒内に燃料を噴射する燃料噴射弁を備える筒内直接噴射式内燃機関において、
吸気ポート内に、吸気流路を、シリンダヘッド側を上、ピストン側を下とした場合において、上下に分割する隔壁と、
前記隔壁下側の吸気流れを開閉制御する切替弁と、を備え、
前記内燃機関の冷間運転時において、前記燃料噴射弁から燃料を噴射する場合には、
前記切替弁を閉じ、前記隔壁上側から筒内に吸気を導入する、
筒内直接噴射式内燃機関。
【発明の詳細な説明】
【技術分野】
【０００１】
本発明は、筒内直接噴射式内燃機関に関する。
【背景技術】
【０００２】
筒内直接噴射式内燃機関においては、吸気行程噴射を行なう場合、吸気上死点近傍に接近したピストンへ燃料が付着し、ＰＭ（粒子状物質）を生成するのを低減するために、燃料噴射方向を水平方向に近づける。しかし、この場合、開弁する吸気バルブと噴射燃料とが干渉し、吸気バルブに噴射燃料が付着して、ＰＭが生成するという問題を生じる。
【０００３】
この場合、吸気バルブの温度が高ければ、付着した燃料は蒸発し、問題は生じないが、冷間運転時には、吸気バルブの温度が低く、燃焼によって筒内の温度が上昇しても、吸気バルブが吸気流によって冷却され、付着した燃料は蒸発せず、ＰＭの生成が避けられない。
この問題を解決するために、例えば特許文献１、特許文献２のような発明が開示されている。
【０００４】
【特許文献１】特開２００４−２１８６０３号公報
【特許文献２】特開２００４−３１６５３８号公報
【発明の開示】
【発明が解決しようとする課題】
【０００５】
特許文献１の筒内直接噴射式内燃機関では、機関温度が低い場合には、吸気バルブのリフト量を小さくし、吸気バルブへの燃料付着を低減する。また、特許文献２の筒内直接噴射式内燃機関では、吸気を、吸気バルブ傘裏に吹き付けて、付着した燃料を吹き飛ばす。しかし、いずれも効果は十分ではなく、改善の余地がある。
【０００６】
本発明は、燃料噴射期間中に吸気バルブの傘部に当る吸気流を制御することにより、吸気バルブの温度分布を制御し、ＰＭ発生原因となる燃料付着を低減することを目的としている。
【課題を解決するための手段】
【０００７】
請求項１に記載の発明によれば、筒内に燃料を噴射する燃料噴射弁を備える筒内直接噴射式内燃機関において、吸気ポート内に、吸気流路を、シリンダヘッド側を上、ピストン側を下とした場合において、上下に分割する隔壁と、隔壁下側の吸気流れを開閉制御する切替弁と、を備え、内燃機関の冷間運転時において、燃料噴射弁から燃料を噴射する場合には、切替弁を閉じ、隔壁上側から筒内に吸気を導入する、筒内直接噴射式内燃機関が提供される。
【０００８】
すなわち、請求項１の発明では、吸気ポート内に、吸気流路を上下に分割する隔壁を設け、機関の冷間運転時において、燃料噴射弁から燃料を噴射する場合には、下側の吸気流路を閉じ、吸気が上側の吸気流路から燃焼室内に流入するようにする。したがって、吸気バルブの、噴射燃料が付着する側には、吸気が流れないため、吸気によって温度が下がらず、筒内の燃焼熱によって付着燃料は蒸発する。一方、燃料噴射を行っていない場合には、燃料が吸気バルブに付着することはないので、下側の吸気流路を開き、吸気ポート内で吸気が絞られないようにして、機関のポンピング損失を防止することができる。
【発明の効果】
【０００９】
請求項に記載の発明によれば、燃料噴射期間中に吸気バルブの傘部に当る吸気流を制御することにより、吸気バルブの温度分布を制御し、ＰＭ発生原因となる燃料付着を低減するという効果を奏する。
【発明を実施するための最良の形態】
【００１０】
以下、添付図面を用いて本発明の実施形態について説明する。なお、複数の添付図面において、同一又は相当する部材には、同一の符号を付している。
【００１１】
図１は、筒内に燃料を噴射する燃料噴射弁７を備える筒内直接噴射式内燃機関において、吸気ポート１内に、吸気流路を上下に分割する隔壁１ａと、隔壁１ａの下側の吸気流れを開閉制御する切替弁８とを備え、内燃機関の冷間運転時において、燃料噴射弁７から燃料を噴射する場合に、噴射された燃料１０が、吸気バルブ３の傘部の一部に干渉している状態を示し、この場合に、切替弁８を閉じ、隔壁１ａの上側から筒内に吸気を導入して、吸気が燃料の付着した傘部を冷却しないように制御している状態を示す。
【００１２】
図２は、吸気バルブのリフト量と燃料噴射との関係が図１のような状態にある場合に、噴射された燃料１０が、吸気バルブ３ａ、３ｂの傘部に付着する領域を、模式的に示す説明図である。本願発明は、吸気がこの領域を冷却しないように、吸気の流入する領域を制御するものである。
【００１３】
すなわち、図１に示すように、吸気バルブの、噴射燃料が付着する側には、吸気が流れないため、吸気によって温度が下がらず、筒内の燃焼熱によって付着燃料は蒸発する。
【００１４】
一方、燃料噴射を行っていない場合には、燃料が吸気バルブに付着することはないので、切替弁８を開いて、隔壁１ａの下側の吸気流路を開き、吸気ポート１内で吸気が絞られないようにして、機関のポンピング損失を防止することができる。
【００１５】
図３は、本発明の実施形態をフローチャートに示したもので、ステップ１００では、エンジン冷却水温が所定の温度以下であるかどうかを判定し、冷間運転かどうかを判定する。エンジン冷却水温が所定の温度以下である場合には、ステップ２００へ進み、燃料噴射弁から燃料が噴射されているかどうかを判定する。燃料が噴射されている場合には、ステップ３００へ進み、切替弁８（図１）を閉じ、吸気を吸気ポート１内の隔壁１ａの上側から筒内に導入する。一方、これ以外の場合には、燃料が吸気バルブに付着することはないので、ステップ４００へ進み、切替弁８を開いて、隔壁１ａの下側の吸気流路を開き、吸気ポート１内で吸気が絞られないようにして、機関のポンピング損失を防止する。
【図面の簡単な説明】
【００１６】
【図１】本発明を筒内直接噴射式内燃機関に適用した場合の、実施形態の概略構成を説明する図である。
【図２】吸気バルブへの噴射燃料の付着を模式的に説明する図である。
【図３】本発明を筒内直接噴射式内燃機関に適用した場合の、実施形態の概略構成を説明するフローチャートである。
【符号の説明】
【００１７】
１    吸気ポート
１ａ    隔壁
２    排気ポート
３、３ａ、３ｂ    吸気バルブ
４    排気バルブ
５    ピストン
７    燃料噴射弁
８    切替弁
１０    噴射燃料
【図１】
2010031764.tif 000003
【図２】
2010031764.tif 000004
【図３】
2010031764.tif 000005
(57)【要約】      （修正有）【課題】手袋をしたまま人差し指、中指、親指の先端を露出することで指先を使った作業が可能であり、かつ取り外した着脱式指先部が両面ファスナーで固定されることで落下や紛失等せず、再度装着するのも素早く簡単にできる手袋を提供する。【解決手段】人差し指、中指、親指の各部先端を着脱式とするが、手の甲側は結着しているので取り外しても完全に手袋本体からは分離せず、落下や紛失の心配がない。また、取り外した各指先部の先端部分に両面ファスナーを設置し、同じく手袋本体に対応する両面ファスナーを設置しておくことで、取り外し時に指先部を両面ファスナーで固定して邪魔にならないようにし、かつ再度指先に装着するのも素早く簡単に行うことができる。【選択図】図２
2010031450.tif 000002
【特許請求の範囲】
【請求項１】
人差し指、中指、親指の各部先端が着脱式であることから指先を使う作業が可能であり、かつ取り外した着脱式指先部は手の甲側が結着していることから完全に手袋本体から分離されることなく、加えて両面ファスナー等により指先部を固定することが出来る手袋。
【発明の詳細な説明】
【技術分野】
【０００１】
本発明は、人差し指、中指、親指の各部先端が着脱式のため指先を使った細かい作業が可能であり、加えて取り外した着脱式指先部の手の甲側は結着されているので落下や紛失の心配がなく、さらに取り外した着脱式指先部の先端に設置した両面ファスナーを手袋本体に設置した両面ファスナーに付着することで作業の邪魔にならないよう固定することができる手袋である。          
【背景技術】
【０００２】
従来は、指先を使う作業を行う場合、手袋を外すか、元々指先部のない手袋を使用するしかなかった。
【発明の開示】
【発明が解決しようとする課題】
【０００３】
手袋をしたまま人差し指、中指、親指の先端を露出することで指先を使った作業が可能であり、加えて取り外した各着脱式指先部が落下や紛失することなく、再度指先に装着するのも素早く簡単に行うことができる手袋である。
【課題を解決するための手段】
【０００４】
人差し指、中指、親指の各部先端を着脱式とするが、手の甲側は結着しているので取り外しても完全に手袋本体からは分離せず、落下や紛失の心配がない。また、取り外した各指先部の先端部分に両面ファスナーを設置し、同じく手袋本体にも対応する両面ファスナーを設置しておくことで、取り外し時に両面ファスナーによって着脱式指先部を手袋本体に固定して邪魔にならないようにし、かつ再度指先に装着するのも素早く簡単に行うことができる。
【発明の効果】
【０００５】
手袋をしたまま必要な時に人差し指、中指、親指を使った作業が可能であり、かつ作業中に取り外した指先部が固定されるので邪魔にならず、再度装着するにも手間がかからない手袋である。
【発明を実施するための最良の形態】
【０００６】
着脱式の指先部は、手の甲側は手袋本体と結着した状態とし、着脱式指先部の先端部分と、それに対応する手袋本体の箇所に両面ファスナーを設置する。また、着脱式指先部と手袋本体の人差し指、中指、親指の各部が装着時に重なるようにし、加えて同重なる部分に両面ファスナーを設置することで、着脱式指先部が装着時にずれないようにする。
【図面の簡単な説明】
【０００７】
【図１】本発明である手袋を手の甲側から見た図。        人差し指、中指、親指の各部先端が着脱式となっているが、手の甲側は手袋本体と結着している。着脱式指先部の各先端に設置した両面ファスナーａが、手袋本体のそれに対応する位置に設置された両面ファスナーｂに付着することで固定する。
【図２】本発明である手袋の着脱式指先部を取り外した状態の図。        着脱式指先部が手袋本体に両面ファスナーａによって固定されている。また、手袋本体側の人差し指、中指、親指の先端に両面ファスナーｂを設置し、同じく着脱式指先部の内側には両面ファスナーｃを設置することで、着脱式指先部を装着した際にずれないよう固定する。
【図１】
2010031450.tif 000003
【図２】
2010031450.tif 000004
(57)【要約】【課題】  従来の保温効果を高めたひざかけは、身体の正面から装着することを前提にしているため、裾周り部、裾止め部が目視できない。このため十分な保温効果が期待できないばがりか、通常時の操作性が悪く、緊急時における安全性にも問題が生じる懸念がある。【解決手段】  ひざかけを身体の背面から装着し、裾周り部、裾止め部が目視可能な構造とする。１を椅子の背もたれに固定し、４の部分で背面から足を包み込み、身体の正面を５で固定する。また、ポケット部の中にクッションなどを収納することができるものとし居住性を向上させる。【選択図】図１
2010031435.tif 000002
【特許請求の範囲】
【請求項１】
身体の背面から着用する構造のひざかけ。
【請求項２】
椅子に固定可能な機構および、クッション、座布団などの麈り心地が向上する備品を内蔵する機構を具備するひざかけ。
【発明の詳細な説明】
【技術分野】
【０００１】  本発明は、保温効果および利用環境を向上した「ひざかけ」に関するものである。
【背景技術】
【０００２】  通常のひざかけは、膝の上から布地をかけて使用することを基本としているため、下半身全体の保温効果を得ることができない。これまでに下半身全体の保温効果を高める事を目的として考案されているひざかけは、特許文献１に示す様に、裾の部分を広くした発案により身体下部を包み込む構造になっている。また、同様な目的で、特許文献２に示す様に利用時にずれを防止するために身体に装着する機構を設け、ファスナーにより包み込んだ側端を固定する構造になっている。これらは共に、身体の正面から装着して使用することを前提に考案されているひざかけである。
【特許文献１】特許公開平１０−４６４１０要約
【特許文献２】特許公開２００２−２１２８１６要約
【発明の開示】
【発明が解決しようとする課題】
【０００３】  冬季室内での利用を想定した場合、室内の温度は床に近づくほど低温となる。身体正面から包み込むための、床付近の裾周り部、裾止め部は、身体背面の位置になってしまい、目視により監視できないため、若干の開口部が生じる懸念があり、十分な保温効果を得ることができない。【０００４】  ファスナーなどを使用した裾周り部、裾止め部が、身体の背面となり、椅子などに座ったままでの操作が困難であり操作性が悪い。【０００５】  ひざかけを身体に直接装着した場合、地震火災などの緊急時において、身体から即時に取り外すことが困難で、足に絡むなどの懸念があり極めて危険であり、安全性に問題がある。
【課題を解決するための手段】
【０００６】  ひざかけを身体の背面から装着し、裾周り部、裾止め部が目視可能な構造とする。【０００７】  身体の背面から着用することにより、椅子など人が座るための設備に固定可能な機構を具備可能とする。また、クッション、座布団などの座り心地が向上する備品を内蔵する機構を具備するひざかけとする。
【発明の効果】
【０００８】  冬季室内での利用を想定した場合、室内の温度は床に近づくほど低温となる。背面から包み込むための裾周り部、裾止め部は、身体正面で目視が可能となるため、開口部の発生を抑制することができ、期待通りの保温効果を得ることができる。【０００９】  ファスナーなどを使用した裾周り部、裾止め部が、身体の正面となり、椅子などに座ったままでの操作が容易に行えるようになり、操作性が向上する。【００１０】  ひざかけを椅子に装着し、身体を包み込む裾周り部、裾止め部は、身体前面から着脱可能な機構とすることにより、身体から即時に取り外すことが可能となる。更に、裾周り部、裾止め部を軽微な粘着度の面ファスナー等により固定すれば、椅子から立ち上がった際に自然とひざかけが外れる仕組みとなり、地震火災など緊急時における安全性が向上する。【００１１】  椅子に装着する部分に、クッション、座布団などの座り心地が向上する備品を内蔵することで、居住性が向上する。
【発明を実施するための最良の形態】
【００１２】  図１に示す構造とする。ひざかけを身体の背面から装着し、裾周り部、裾止め部が目視可能な構造とする。【００１３】  １を椅子の背もたれに固定し、４の部分で背面から足を包み込み、身体の正面を５で固定する。また、ポケット部の中にクッションなどを収納することができるものとし居住性を向上させる。
【図面の簡単な説明】
【図１】敷きひざかけ構造図
【図１】
2010031435.tif 000003
(57)【要約】      （修正有）【課題】重力に頼らずに、簡単にフィルムの展張が可能なフィルムの開閉装置を提供する。【解決手段】（イ）フィルムを閉じる場合には、中央部の巻き取り用の棒２を回転させることにより、棒２の左右のフィルムが同時に巻き取られ、フィルムは固定端近くに巻き取られる。この場合、棒３もフィルムの固定端近くまで移動するため、紐４は予めそれだけの長さを棒５に巻き取っておく必要がある。（ロ）フィルムを開く場合には、棒５を回転させることにより紐４が棒５に巻き取られて棒３が引っ張られ、フィルムが開く。この場合、棒２は回転しながら固定端近くから元のフィルム中央部へ移動していく。（ハ）なお、フィルムの開閉に重力を必要としないため、水平方向へのフィルムの展張や重力に逆らった方向への展張も可能となり、簡単な構造で多様な展張が可能となる。【選択図】図２
2010031624.tif 000002
【特許請求の範囲】
【請求項１】
図２に示すように、フィルム１の中央部に取り付けた棒２を回転することによりフィルム１を閉じ、また、棒５を回転させることで、紐４で連結されたフィルム１の端に取り付けた棒３を引っ張ることによりフィルム１を開く方法及びこの方法を用いたフィルム開閉装置
【発明の詳細な説明】
【発明の詳細な説明】
【産業上の利用分野】
【０００１】  この発明は、温室等の保温用のフィルムの開閉に関するものである。近年、地球温暖化防止が叫ばれ、温室等においてフィルムの多層化による省エネが必要となってきているが、従来のフィルムの多層化は設備費がかかりなかなか改善が図られないのが現状である。そこで、フィルムの簡単な開閉方法を開発することにより、フィルムの多層化の普及が容易となり、温室等の省エネ化が図られ、環境の改善に寄与する。
【背景技術】
【０００２】  従来、温室等のフィルムの簡単な開閉には図１に示すようにフィルム１の端に巻き取り棒２を取り付け、これを回転させることによりフィルムの開閉を行っていた。
しかしながら、この方法は重力を利用しているために、水平に張られたフィルムの開閉には利用できず、その場合にはフィルムを複数箇所で紐に連結してフィルムのしわを伸び縮みさせる方式が一般的であり、装置が複雑化し高額な設備費が必要であり、普及が進んでいないのが現状である。
【発明が解決しようとする課題】
【０００３】  このような状況であるため、重力に頼らない簡単なフィルムの展張方法が強く望まれていた。
【課題を解決するための手段】
【０００４】  いま、その構成を図２により説明すると、
（イ）フィルム１の中央部に巻き取り用の棒２が取り付けられており、またフィルムの一方の端は固定され、他方の端には棒３が取り付けられている。棒３には引っ張り用の紐４が取り付けられ、この紐４が巻き取り用の棒５に取り付けられている。
（ロ）フィルムを閉じる場合には、中央部の巻き取り用の棒２を回転させることにより、棒２の左右のフィルムが同時に巻き取られ、フィルムは固定端近くに巻き取られる。この場合、棒３もフィルムの固定端近くまで移動するため、紐４は予めそれだけの長さを棒５に巻き取っておく必要がある。
（ハ）フィルムを開く場合には、棒５を回転させることにより紐４が棒５に巻き取られて棒３が引っ張られ、フィルムが開く。この場合、棒２は回転しながら固定端近くから元のフィルム中央部へ移動していく。
（ニ）なお、フィルムの開閉に重力を必要としないため、水平方向へのフィルムの展張や重力に逆らった方向への展張も可能となり、簡単な構造で多様な展張が可能となる。
以上のように装置する。
【作用】
【０００５】  次に本発明の作用を述べる。
温室等の夜間の保温ではフィルムの多層化が有効であることは周知の事実であり、コストをなるべくかけないでフィルムの多層化を図ることが普及を図る上で重要なことである。本発明は図２に示すように、フィルムの中央に巻き取り用の棒２を取り付けて、フィルムを閉じる場合、これを回転させることでフィルムを巻き取っている。この時、棒３は回転することなく移動する。一方、フィルムを開く場合に棒５で紐４を巻き取ると、フィルムの取り付けられた棒３が回転することなく広がる。これによって、重力に頼らずフィルムの開閉が可能となり、水平や傾斜に逆らった方向あるいは円弧形状等へのフィルムの簡単な展張が可能となる。
【実験例】
【０００６】  フィルムを水平に設置した場合の実験を行ったが、フィルムはほとんど抵抗を感じることなくスムーズに開閉が可能であった。また、棒３が水平に移動するが、スリップによるフィルムの破損等は確認されなかった。
【発明の効果】
【０００７】  地球温暖化の影響は地球環境に深刻な影響を与えており、省エネルギーの必要性は今後益々重要性を増すものと考えられる。フィルムの多層化による保温技術は省エネルギーの基本技術であり、本発明により簡単に多様な多層化が実現できることは社会的な要請に応えるものである。
【図面の簡単な説明】
【図１】  従来の簡単なフィルムの開閉方法
【図２】  本発明によるフィルムの開閉方法
【符号の説明】
１はフィルム
２はフィルム巻き取り棒
３はスライド棒
４は紐
５は紐巻き取り棒
【図１】
2010031624.tif 000003
【図２】
2010031624.tif 000004
(57)【要約】【課題】  家に空巣・泥棒が入った時に、偽金庫として注意を向けさす為の、壁に設置するフェイク金庫を提供する。【解決手段】  壁に背面部を設置して、扉を開閉出来るようにし、扉にはダイヤルか鍵を付けて、金庫本体その物に見える様にし、ダイヤル・鍵を解除して扉を開けると、中の防犯ベルが鳴る仕組みであることを特徴とするフェイク金庫。【選択図】図１
2010031620.tif 000002
【特許請求の範囲】
【請求項１】
壁に背面部を設置して、扉を開閉出来るようにし、扉にはダイヤルか鍵を付けて、金庫本体その物に見える様にし、ダイヤル・鍵を解除して扉を開けると、中の防犯ベルが鳴る仕組みであることを特徴とするフェイク金庫。
【発明の詳細な説明】
【発明分野】
【０００１】  本発明は、家に空巣・泥棒が入ったときに、偽金庫として注意を向けさす為のフェイク金庫に関する物である。
【背景技術】
【０００２】  従来存在する金庫は、小型の持ち出しが出来る鞄式の物、中型〜大型の耐火式の物、持ち出そうと底を持ち上げるとベルが鳴る物、扉のダイヤル式・鍵式な物など様々な種類がある。
【特許文献１】特開第２００５−１３６７号公報
【発明の開示】
【発明が解決しようとする問題】
【０００３】  従来より、次のような問題があった。
（イ）小型の金庫だと持って行かれる。
（ロ）ダイヤル式・鍵式は壊される可能性がある。
本発明は以上の問題点を解決しようとするものである。
【課題を解決するための手段】
【０００４】  壁に背面部を設置して、扉を開閉出来るようにする。扉には、ダイヤルか鍵を付けて、金庫本体その物に見える様にする。ダイヤル・鍵を解除して扉を開けると、中の防犯ベルが鳴る仕組みである。
【発明の効果】
【０００５】  フェイク金庫を目に付きやすい場所に設置することにより、泥棒・空巣がまずフェイク金庫を開けようとする。
ようやく開けたとしても中は空、カメラのレンズ・防犯ベルを設置しておけば、本物の金庫をさわる事もなく、家から出て行くことになる。
【発明を実施するための最良の形態】
【０００６】  以下、本発明の実施の形態を説明する。
（イ）開閉できる扉（２）を背面部（３）と一緒に壁にネジ（１）で設置する
（ロ）扉部（２）にはダイヤル（５）を取り付け、解除すると開き中に取り付けてある防犯ベル（４）が鳴る
本発明は以上の構成で、これを実際に使用する時は背面・扉部分を、壁・押入・クローゼットの壁に設置する。泥棒・空巣が家の中に入って来た場合、まず目に付きやすい場所に設置してあるフェイク金庫に目がいき（５）のダイヤルを開けようとする。壁に取付けてある為、持って行きようがない。（５）のダイヤルを解除して（２）の扉を開け、中身を見ようとした時（４）の防犯ベルが鳴り、泥棒・空巣は退散する。
【図面の簡単な説明】
【０００７】
【図１】本発明の正面図
【図２】本発明の側面図
【図３】本発明の分解斜視図
【図４】本発明の使用状態を示す斜視図
【符号の説明】
【０００８】  １  ネジ
２  扉
３  背面
４  カメラのレンズ
５  ダイヤル
６  壁
【図１】
2010031620.tif 000003
【図２】
2010031620.tif 000004
【図３】
2010031620.tif 000005
【図４】
2010031620.tif 000006
(57)【要約】【課題】  井戸内の洗浄作業を効率化する。【解決手段】    モーターにワイヤーブラシを取り付けワイヤーロープで吊り上げパイプ内に挿入する。モーター軸に偏心回転するワイヤーブラシを装着し、震動させながらスクリーンの螺旋コイルに押し当てる。ブラシの針先がスケールを突いて除去する。【選択図】  図１
2010031614.tif 000002
【特許請求の範囲】
【請求項１】
井戸内洗浄装置においてモーター１、の上下に装置安定用ワイヤーブラシ２、を取り付
け、振動発生板３、にて装置全体を振動させスクリーン表面を洗浄すると共に、ワイヤー
ブラシ４、を偏心回転させる構造としたことにより、ワイヤーブラシがスクリーン内部に
振動しながら侵入し、洗浄効果を高める構造としている。ワイヤーブラシを回転させるこ
と無くスクリーンの隅々まで洗浄できる構造を特徴とした井戸内スクリーン洗浄装置。
【発明の詳細な説明】
【技術分野】
【０００１】
ボーリング井戸のスクリーン洗浄。
【背景技術】
【０００２】
ボーリング井戸の取水部スクリーンの洗浄はボーリングマシーンを使用し、ボーリングロッドの先端にワイヤーブラシを取り付け回転させながら上下させスクリーンの目に詰まったスケールを除去する方法や高圧水を噴出してスケール除去している。
【発明の開示】
【発明が解決しようとする課題】
【０００３】
本件は特にワイヤーを螺旋に形成したスクリーンの洗浄に着目している。
従来の洗浄方式ではボーリングロッドの脱着に費やされる時間が施工時間の大半を占め非能率である。又、ワイヤーブラシを回転させて洗浄する方法にあってはスクリーンの縦軸ロッドにワイヤーブラシの先端が当るために螺旋ワイヤーの内部まで洗浄できない。
【課題を解決するための手段】
【０００４】
本案はワイヤーロープで洗浄機本体を吊り下げスクリーン部まで短時間で移動させる。
【０００５】
ワイヤーブラシを回転させると装置本体が逆方向に回転し、ワイヤーロープ、及び電源コードの損傷を招く危険性があるのでワイヤーブラシを回転させること無く振動と、ブラシ先端の押付け効果でスケール除去を考えている。
【発明の効果】
【０００６】
洗浄機本体をワイヤーロープで井戸内に吊降し、吊り上げが出来ることで作業時間が大幅に短縮される。
【０００７】
ブラシ先端部を振動させながら押し付けることでスクリーンの細部までブラシの針先で突くようにブラシを作用させる事で洗浄効果が増大する。
【図面の簡単な説明】
【０００８】
【図１】本案のスクリーン作用時の断面図
【図２】ブラシ４、がスクリーンに作用している状況図
【図３】スクリーンの詳細図
【図４】ブラシ４、がスクリーンに作用している詳細状況図
【符号の説明】
【０００９】
１    モーター
２    ワイヤーブラシ
３    震動板
４    ワイヤーブラシ
５    スクリーンの螺旋コイル
６    スクリーンの縦軸棒
７    ワイヤーブラシ先端
８    電源コード
９    ワイヤーロープ
【図１】
2010031614.tif 000003
【図２】
2010031614.tif 000004
【図３】
2010031614.tif 000005
【図４】
2010031614.tif 000006
(57)【要約】      （修正有）【課題】従来の発電装置は化石燃料をエネルギーとし、排気ガスなどの有害物質を大量に排出し、地球環境を悪化させてしまい、自然の生態系を著しく破壊し、私たち人類の生活までも脅かされている。又、原子力発電なども注目を浴びているがごみが出ることを循環とは言わない。重力エネルギーを利用し、一切のごみを出さず動力だけを利用できる完全な循環運動エネルギー装置を得る。【解決手段】磁石を備え、重りの役目をするベルトを図示のような正三角形軌道として、ベルトの周囲にコイルを配置して電力を得る。【選択図】図２
2010031823.tif 000002
【特許請求の範囲】
【請求項１】
物質に加わる重力に。ベクトルを用い起動力となるベルト〔重りの役目の磁石〕自体が循環運動し。レールとなる軌道の周りにコイルを巻くことで。電磁誘導をして誘導起電力を発生させる手段からなる循環型無公害重力発電機である。
【発明の詳細な説明】
【技術分野】
【０００１】本発明は、化石燃料をエネルギーとする経済活動で引き起こる公害や、地球温暖化の防止に用いられる重力発電機の仕組みの発明である。
【背景技術】
【０００２】現在、人類の経済活動は一部を除き、化石燃料を使っているため、ＣＯ２などの排ガス等有害物質を大量に発生させている。
【非特許文献２】１、ベクトルの法則  ２、フレミングの右手の法則  ３、ファラデーの電磁誘導の法則
【発明の開示】
【発明が解決しようとする課題】
【０００３】現在のエネルギー利用方法では、地球環境が、悪化し、生態系の影響がはかりしれない。【０００４】そこで太陽光や、風力などの自然エネルギーが考えられているが、エネルギー効率やコストの面で、課題が多い。
【課題を解決するための手段】
【０００５】物質に加わる重力に。ベクトルを用い起動力となるベルト〔重りの役目の磁石〕自体が循環運動し。レールとなる軌道の周りにコイルを巻くことで。電磁誘導をして誘導起電力を発生させる手段からなる循環型無公害重力発電機である【０００６】上記の課題解決手段による作用は次の通りである。
地球環境の悪化を防止し、なおかつエネルギー問題の解決も可能である。【０００７】また、新技術の開発や、科学分野の発展など、相乗効果も見込める。
【発明の効果】環境破壊や汚染を防止する。さらに、科学技術の発展や資源をめぐる戦争や、貧困を解決し、意識レベルの向上が見込まれる。
【発明を実施するための最良の形態】
【０００８】以下本発明の実施の形態を図１〜３に基づいて説明する。【０００９】図１は１本の重りの役目のベルトである。Ｂを頂点として、ＡＢを垂直にし、ＢＣを６０°の角度で、Ａの高さまで、延ばしＡＣを底辺とすれば、直角三角形の底辺のない形になる。このとき、ＡＢとＢＣの長さは、１：２の比率（重量も同様）である。よってＡＢはＢＣの重力（重さ）により引き上げられてしまう。【００１０】図２において、請求項２を説明する。
図１においてＡＢ：ＢＣは１：２である。そこで、ＣとＡとつなげて正三角形になる様にする。Ａ．Ｂは垂直でＢ．Ｃとの比率は１：２である。Ａ．Ｂ．Ｃは１本の環である。したがって、図１の理由のため、この運動は、永久運動である。【００１１】図３はモータ内のベルト（重り）の動きを表している。ＩＩにおいて１本のベルト（重り）を複数本Ａ．Ｂを軸として束ね、Ｂ，Ｃが、なめらかに動くように全体を球体にする。【００１２】図４はモータ内のベルトの形状（軌道）を現わしている。直径１に対して、円周の２分の１、つまり、１．５７倍である。図２にあるように１：２の比率の２を１．５７（円周率の半分）に納めるために右回転のひねりを加えるのである。（フレミングの法則により）【００１３】図５はおもりの役目のベルトＦと筒状のレールＤ、レールＤを包むコイルＥからなっている。重りの役目のベルトＦは磁石を用い軌道となる  レールＤにコイルを巻くことで、コイルに誘導起電力が生じる。この電力を利用すればよいのである。
【図面の簡単な説明】
【００１４】
【図１】は直角三角形の２辺のおもりを乗せた図形である。
【図２】はおもりを正三角形の形にした図形である。
【図３】は重り（ベルト）の動きを現わしている。
【図４】はモータの形を球体にした時の重りの形状を現わしている。
【図５】はレールと重りの略図である
【符号の説明】
【００１５】Ａはベルトの垂直面の始まりを意味する。
Ｂはベルトの垂直面の終わりを意味する
Ｃはベルトの終わりを意味する
Ｄはベルトを包む軌道（レール）を意味する。
ＥはレールＤを包むコイルを意味する。
ＦはＡＢＣのベルトを意味する。
【図１】
2010031823.tif 000003
【図２】
2010031823.tif 000004
【図３】
2010031823.tif 000005
【図４】
2010031823.tif 000006
【図５】
2010031823.tif 000007
(57)【要約】【課題】従来の火力発電は、有限性エネルギーを消費し温室ガスを排出し原子力発電は近くに住む住民は、何時事故が、起きるか心配し、風力太陽光発電は安定性がない【解決手段】地球、人工衛星、月、重力、無重力の関連の一部を、地球上で、応用し、重力、無重力、慣性、金属、重金属、重金属流動体を、応用し、重金属流動体を、発電に、必要な、有効落差、物量を、自然の力で、重金属流動体を、上に揚げ、下に、落とし、タービン、発電機、回し、発電、下に貯つた、重金属流動体を、角度８９．９度の位置に、上に、揚げ、これを、繰り返し、水力火力原子力発電、同等の電力を作る【選択図】図１
2010031825.tif 000002
【特許請求の範囲】
【請求項１】
架台ａの中心基礎に、回転軸１５腕１４重金属流動体５分の５重量１角度９０度時無重力位置１２自働制御モーター３上下運動フツク自働制御モーター１０、中空軸１６腕１３重金属流動体５分の３重量２自働制御モーター３重金属流動体入箱４自働制御モーター３と、架台ｂ、スプリング１１自働制御モーター３で、構成し、重金属流動体５分の３重量２が、角度８９．９度の位置に揚がる装置
【発明の詳細な説明】
【発明の詳細な説明】
【産業上の利用分野】
【０００１】本発明は回転軸腕重金属の１回の回転による中空軸腕重金属流動体が、自然の力で上に揚がり、水力火力原子力発電等に必要な、有効落差、物量流動体が、金属、重金属、重金属流動体を、使用することで、水力火力原子力発電等に、必要な有効落差、物量が、七分の１から２０分の１で、済む、を、落下し、タービン、発電気を、回転、電力を、作る装置に関わる
【背景技術】
【０００２】従来、このような自然の力で水力火力原子力発電等に必要な有効落差、物量が、上に揚がる機構は、運動の法則、運動量保存の法則、エネルギー保存の法則等で実現不可能と認識されている【０００３】上記認識を、打破すべく、地球、人工衛星、月の関連の重力無重力の、一部を、地球上で応用し、、（発明の名称）重力、無重力、慣性、慣性、金属、重金属、重金属流動体を応用し、水力火力原子力発電、同等の電力を作る装置を、出願
【実施例】
【０００４】図１〜図４は、本発明の実施例を示す図である。架台ａ、架台ｂ、基礎の、中心に、回転軸１５上下作動フツク自働制御モーター１０腕ｂ１４重金属流動体５分の５重量１自働制御モータ３、中空軸１６腕ａ１３重金属流動体５分の３重量２自働制御モーター開閉扉９自働制御モーター３と、架台ｂ、スプリング１１自働制御モーター３と、図２、重金属流動体プール６タービン７発電機８自働制御モーター３重金属流動体巻き戻機流入受板５構成する。次に動作を説明する、回転軸１５腕１４重金属５分の５重量１自働制御モーター３角度９０度無重力１２中空軸１６腕１３重金属流動体５分の３重量２自働制御モーター３角度２７０度位置にし、初回に、図１スプリング１１自働制御モーター３で、スプリングを圧縮解放し（無重力位置１２）角度９０度位置、重金属５分の５重量１を、図１、矢印方向に押し出し、角度２７０度位置の重金属流動体５分の３重量２が、同時に、矢印方向に回転し、角度９０度位置にて、上下運動フツク自働制御モーター１０で、フツクを下に作動し、角度８９．９度の位置にて、自働制御モーター３スプリング１１に、衝突、スプリング１１を、圧縮停止、重金属流動体５分の３重量２自働制御モーター３角度８９．９度の位置に、停止重金属５分の５重量１自働制御モーター３、９０度位置に、停止、自働制御モーター３重金属流動体巻戻機受板５を、作動し、開閉扉９の位置に、重金属流動体巻戻機流入受板５を、装置し、重金属流動体２自働制御モーター３開閉扉９の、開閉扉を、開き、重金属流動体を、重金属流動体プールに、流す、流し終つた、腕１３重金属流動２外箱１７を、角度２７０度位置にし、プールに、入流した、重金属流動体２が、落下し、タービン７を、回転、発電機８で、発電し、底に、貯めた、重金属流動体２を、自働制御モーター３重金属流動体巻戻機琉入受板５を、出し、腕１３重金属流動体２入箱１７開閉扉９の、位置にし、開閉扉９を、開き、重金属流動体２を、流入し、開閉扉９、閉め、上下運動フツク自働制御モータ−１０で、フツクを、上に作動し、１回転し、終わる。次の作動の回転に、架台ｂ、スプリング１１自働制御モーター３で、架台ｂ、上を、角度８９．９度の位置にて、スプリング１１自働制御モーター３、衝突圧縮停止スプリングを、移動し、図１（無重力位置１２）角度９０度、重金属流動体５分の３重量を、スプリング圧縮停止していた、スプリングを、解放し、矢印方向に、押し出し、回転、繰り返し、重金属流動体を、重金属流動体プールに流入し、落下し、タービン発電機を、回転し、水力火力原子力、同等の、電力を、作る、装置
【発明の効果】
【０００５】本発明は、以上説明したように、従来の不可能とする認識を打破し、火力原子力発電に、使用する、石油天然ガスウラン、水力火力原子力、同等の電力を、作るその他の効果、化石燃料などの有限性エネルギー資源の消費がなく、公害物質の放出がなく環境汚染のしんぱいがなく地球温暖化防止する
【図面の簡単な説明】
【０００６】
【図１】本発明の実施例の縦断面図である
【図２】図１の縦断面図と図２実施例の縦断面図である
【図３】重金属流動体プールに、重金属流動体入流時と、図１の実施例の装置を、重金属流動体プール４面に、装置，平面断面図である
【図４】重金属と重金属流動体が、回転交差した、平面断面図である
【符号の説明】
ａ      架台
ｂ      架台
１      重金属５分の５重量
２      重金属流動体５分の３重量
３      自働制御モーター
４      重金属流動体入箱
５      重金属流動体巻戻機流入受板
６      重金属流動体プール
７      タービン
８      発電気
９      開閉扉
１０    上下運動フツク自働制御モーター
１１    スプリング自働制御モーター
１２    角度９０度時無重力位置
１３    腕ａ
１４    腕ｂ
１５    回転軸
１６    中空軸
【図１】
2010031825.tif 000003
【図２】
2010031825.tif 000004
【図３】
2010031825.tif 000005
【手続補正書】
【提出日】平成20年9月16日(2008.9.16)
【手続補正１】
【補正対象書類名】図面
【補正対象項目名】全図
【補正方法】変更
【補正の内容】
【図１】
2010031825.tif 000006
【図２】
2010031825.tif 000007
【図３】
2010031825.tif 000008
【図４】
2010031825.tif 000009
(57)【要約】【課題】地球温暖化、オゾン層破壊が問題になっている。【解決手段】潮水を電気分解することで水を水素，酸素に分解し、熱を吸収する。結果、酸素はオゾン層修復に、マイナスの反応熱で空気を冷却する。水素は新エネルギーに一部利用し、残りは貯蔵する。更に海水に溶け込んだ二酸化炭素と、潮水の電気分解で発生した水素からメタンガスを生成し、マイナスの反応熱で地球冷却化に対処し、発生した酸素はオゾン層修復に活用する。【選択図】図４
2010031380.tif 000002
【特許請求の範囲】
【請求項１】
潮水を電気を分解することで水を酸素，水素に分解し、更に熱を吸収するシステム。
【請求項２】
潮の干満差、又は川の落差等を利用して２つの水位差のある貯水槽を作り、二酸化炭素と水素からメタンガスを生成するシステム。
【請求項３】
二酸化炭素と水素との反応を促進する為の受け皿。
【発明の詳細な説明】
【技術分野】
【０００１】本発明は、地球温暖化対策、及びオゾン層修復に関するものである。
【背景技術】
【０００２】地上の酸素濃度が低くなっている。【０００３】「オゾン層破壊の原因はフロンガスである。」とする定説が唱えられている。【０００４】「地球温暖化の原因は二酸化炭素（温室効果ガス）である。」とする定説が唱えられている。
【発明の開示】
【発明が解決しようとする課題】
【０００５】地球温暖化及び、オゾン層破壊の原因は地球上の酸素不足と考え、酸素を増やす方法を考える。
図１（酸素が十分に有る場合）
▲１▼オゾンより軽い酸素は上昇し、▲２▼酸素は上空の強い紫外線でオゾンに変化する。
▲３▼オゾンは酸素より重いため下降する。▲４▼下降したオゾンは、弱い紫外線の下では不安定になり、▲１▼酸素に変化する。
以上が正常なオゾン層生成サークルと推定出来る。
図２（酸素が欠乏している場合）
▲５▼酸素減少のため酸素に替わり▲９▼オゾンより軽い二酸化炭素が上昇
▲６▼酸素が供給されない為、オゾン生成が出来ない。
▲７▼以前からあったオゾンは二酸化炭素より重いため下降し▲８▼酸素に変化する。
▲８▼で発生した酸素は化石燃料の燃焼で使用され、更に二酸化炭素が増える。
以上がオゾン層減少の原因と推測できる。
その結果、オゾン層が底尽きた時点で地上の酸素濃度減少が起こると推測される。
参考
各元素の１モル当たり重量
水素  ２ｇ  酸素  ３２ｇ  オゾン  ４８ｇ  二酸化炭素  ４４ｇ  窒素  ２８ｇ  フロンガス：ＣＦＣ−１２  １２１ｇ  ＣＦＣ−１１５  １５４．４５ｇ
元素記号の降順
Ｈ，Ｈｅ，Ｌｉ，Ｂｅ，Ｂ，Ｃ，Ｎ，Ｏ，Ｆ，Ｎｅ，Ｎａ，Ｍｇ，Ａｌ，Ｓｉ，Ｐ，Ｓ，Ｃｌ，Ａｒ
【課題を解決しようとする手段】
【０００６】潮水を電気分解することで塩素，水素を発生させる。
発生した水素はエネルギー、又はメタンガス生成の資源として利用する。
（化１）
水素を燃焼する。
２Ｈ２＋Ｏ２−−−＞２Ｈ２Ｏ＋ｅｎｅｒｇｙ
逆に水を分解し水素，酸素を発生すれば空気熱を吸収する筈である。
２Ｈ２Ｏ−−−＞２Ｈ２＋Ｏ２−ｅｎｅｒｇｙ
（化２）
潮水を電気分解する。（図３参照）
２ＮａＣｌ−−−＞２Ｎａ＋＋Ｃｌ２−
【０００７】（化２）で発生した水素と、二酸化炭素を吸収し海洋酸性化された潮水を使い、メタンガスを発生させて地球冷却化、オゾン層  修復、及び新エネルギー生成を目指す。
図４（干潮時の海水と満潮時の海水を使い、水素と二酸化炭素の接触を図る。）
▲１▼沼の藻は光合成により水を分解し、その水素と水中に融けた二酸化炭素と加合してメタンガスを生成している。
▲２▼▲１▼の事例から簡単にメタンガスを発生させる事は出来るが、水素は質量が軽い為、水位差を付けないと海洋酸性化した海水とは接触しない。
そこで干潮時の海水を電気分解し、発生した水素は満潮時の海水に送り込む。
その工程で水素と二酸化炭素を直接、接触させる。
図５  ▲１▼アルカリ化した海水と塩素を加合し、海水を中和する。
（化３）
発生したナトリウムはすぐに水と反応し、水酸化ナトリウムへと変化する。
２Ｈ２Ｏ＋２Ｎａ−−−＞２ＮａＯＨ＋Ｈ２（水素発生）
（化４）
メタンガスを燃焼すれば水と二酸化炭素と熱を発生する。
逆に二酸化炭素と水素を加合し、メタンガスを発生させれば熱を吸収する筈である。
ＣＯ２＋２Ｈ２−−−＞ＣＨ４＋Ｏ２−ｅｎｅｒｇｙ
人は上記化学式は困難であると云うが自然界では簡単にメタンガスを生成している。
（湖沼、人体等）
湖沼：自然界では藻等の、光合成による水の分解で水素、酸素を発生している。
その水素と、水に溶け込んだ二酸化炭素が加合してメタンガスを生成しているものと推測する。
（化５）
発生した水酸化ナトリウムと（化２）と発生した塩素を化合し中和する。
４ＮａＯＨ＋２Ｃｌ２−−−＞４ＮａＣｌ＋２Ｈ２０＋Ｏ２（酸素発生）
以上の工程で水素、酸素を発生させる事が出来、結果的に水を分解したことになり、大気中の熱を吸収する。
発生した酸素はオゾン層修復に使用する。
その為には原価償却期間の短いクリーンな発電方法が必要になる。
【特許文献】特開２００８−２４８８９２号広報
【発明の効果】
【０００８】世界上に多く分布する海水を使用して、地球冷却化対策、オゾン層修復、及び新エネルギー生成に役立てる。
【発明を実施するための最良の形態】
【０００９】次世代に残す、住みやすい地球を創造する為の手段を見つけた。【００１０】インフラ整備によって作り上げた都市部を海水面上昇による水没から守ることが出来る。
【産業上の利用可能性】
【００１１】熱を吸収してから利用するので、地球温暖化防止に貢献出来る。【００１２】車社会、又は産業界等のエネルギーとして水素、又はメタンガスを活用する。
更に余った水素、又はメタンガスを保存すれば地球冷却化の効果は大である。【００１３】発生した酸素で、大気中の酸素濃度は増幅し、オゾン層修復に効果がある。
【図面の簡単な説明】
【００１４】
【図１】酸素が十分に有る場合のオゾン層生成図
【図２】酸素が欠乏している場合のオゾン層破壊図
【図３】潮水の電気分解図
【図４】メタンガス発生システム図
【図５】アルカリ化した海水の中和システム図
【図１】
2010031380.tif 000003
【図２】
2010031380.tif 000004
【図３】
2010031380.tif 000005
【図４】
2010031380.tif 000006
【図５】
2010031380.tif 000007
(57)【要約】【課題】  ワインボトルからワインオプナーでコルクの栓を抜く時に、オプナーがスムーズに垂直に刺さり易くした、抜き易いワインコルクを提供する。【解決手段】  コルク（コルク以外の素材でも良い）の栓に螺旋状の穴を開けたことを特徴とするワインのコルク栓。【選択図】図１
2010228808.tif 000002
【特許請求の範囲】
【請求項１】
コルク（コルク以外の素材でも良い）の栓に螺旋状の穴を開けたことを特徴とするワインのコルク栓。
【発明の詳細な説明】
【技術分野】
【０００１】  本発明は、ワインボトルからワインオプナーでコルクの栓を抜く時に、オプナーがスムーズに刺さり易くした、抜き易いワインコルクに関するものである。
【背景技術】
【０００２】  従来、ワインボトルからワインオプナーでコルクの栓を抜く時に、オプナーをスムーズに垂直に刺すことができるコルクの栓はなかった。
【発明の概要】
【発明が解決しようとする課題】
【０００３】  従来、ワインボトルからワインオプナーでコルクの栓を抜く時に、オプナーをスムーズに垂直に刺すことが難しく、コルクの栓が壊れることが多く、手間がかかった。
【課題を解決するための手段】
【０００４】  コルクの栓にワインオプナーがスムーズに垂直に刺さるように、コルクの栓にあらかじめ螺旋状の穴を開けた。
【発明の効果】
【０００５】  コルクの栓にワインオプナーがスムーズに垂直に刺さるので、コルクの栓を容易に抜くことができる。
【図面の簡単な説明】
【０００６】
【図１】本発明の斜視図
【発明を実施するための形態】
【０００７】  ワインオプナーの螺旋状の針がスムーズに垂直に刺さるように、あらかじめコルクの栓に螺旋状の穴を開ける。
この穴の深さはワインが漏れないように、コルクの栓の途中までで良い。
また、コルクの栓の素材はコルク以外のものでも同じように利用できる。
【符号の説明】
【０００８】      １  ワインのコルク栓
２  螺旋状の穴
【図１】
2010228808.tif 000003